(57)【特許請求の範囲】
【請求項１】
文字列を入力可能な入力手段と、
該入力手段から入力された文字列を記憶する文字列記憶手段と、
該文字列記憶手段に記憶されている文字列の登録を指示する登録指示手段と、
該登録指示手段により文字列の登録が指示された際に、文字列に付加する文字飾りを少なくとも二種類指定可能な文字飾り指定手段と、
該文字飾り指定手段により指定された文字飾りを、登録すべき文字列に個々に付加して一括登録する一括登録手段と
を備えたことを特徴とする文書作成装置。
【発明の詳細な説明】
【０００１】
【発明の属する技術分野】
本発明は、ラベル作成装置等の文書作成装置における文字列の登録に関し、更に詳細には関連語の登録に関するものである。
【０００２】
【従来の技術】
従来、ラベル作成装置等の文書作成装置には、関連語変換という変換方法がある。この関連語変換というのは、特開平４−１６５４５９号公報に開示されているように、読みと一致しない表記である一連の関連語があらかじめ登録されており、かな漢字変換の操作によりその読みから辞書登録されている一連の関連語への変換を可能とするものである。
【０００３】
例えば、「んちゅうい」という読みに対して「気をつけて下さい」「注意して下さい」「頭上注意」・・・等の文字列が辞書登録されている場合、「んちゅうい」と入力して変換処理をすると、まず、最初の候補である「気をつけて下さい」と変換され、更に次候補キー等の押下により次の候補を指示していくと「注意して下さい」「頭上注意」・・・等に順次変換されていくのである。
【０００４】
また、この種のラベル作成装置においては、使用者がよく使用する文字列を簡単な読みに関連付けて登録しておくことができるため、その読みを入力するという単純な操作で所望の文字列が入力できるので、ラベルの作成が容易且つスピーディになる。
【０００５】
【発明が解決しようとする課題】
しかしながら、関連語変換で文字列を登録することについては、同じ読みを持つ関連語の候補として、図２の（ａ），（ｂ），（ｃ）に示すように、文字飾り（強調文字、アンダーライン、白抜き文字など）のみが違う同じ文字列を複数登録したい場合がある。その際には、使用者が文字飾りを付加した登録文字列を指定して、さらにかな漢字変換の際にその読みとする読み文字列を指定して登録を行うという作業を文字飾りの種類数だけ繰り返さなければすべての候補を登録することができなかった。即ち、同じ文字列であるのに文字飾りが異なるため、それぞれについて登録を行わなければならなかったのである。そのため作業的には同一操作の部分が多いのに、同じ手間を何回もかけなければならず、たいへん面倒であり、また、入力ミスも起こしやすかった。
【０００６】
本発明は、上述した問題点を解決するためになされたものであり、登録する文字列が同じで文字飾りのみ違う複数のパターンを、同じ読み文字列を持たせて一括して登録できることを特徴とする文書作成装置を提供することを目的とする。
【０００７】
【課題を解決するための手段】
この目的を達成するために、請求項１記載の文書作成装置は、文字列を入力可能な入力手段と、この入力手段から入力された文字列を記憶する文字列記憶手段と、この文字列記憶手段に記憶されている文字列の登録を指示する登録指示手段と、この登録指示手段により文字列の登録が指示された際に、文字列に付加する文字飾りを少なくとも二種類指定可能な文字飾り指定手段と、この文字飾り指定手段により指定された文字飾りを、登録すべき文字列に個々に付加して一括登録する一括登録手段とを備えている。
【０００８】
この文書作成装置によれば、入力手段により登録する文字列が入力されると、文字列記憶手段が入力された文字列を記憶する。そして登録指示手段から入力文字列の登録が指示されると、文字飾り指定手段は登録する文字列に付加する文字飾りの情報を少なくとも二種類指定可能とする。そして一括登録手段が登録すべき文字列に指定された文字飾りを個々に付加して登録するのである。
【０００９】
【発明の実施の形態】
以下、本発明の実施の形態について図面を参照して説明する。
【００１０】
本実施の形態の文書作成装置に係るラベル作成装置は、図１に示すように、中央処理装置（ＣＰＵ）１２と、制御プログラムを記憶させたＲＯＭ１４と、ＲＡＭ１６と、キーボード１８と、ディスプレイ２０と、プリンタ２２と、キーボード１８等の外部記憶装置の入出力信号をＣＰＵ１２の処理可能な信号に変換する入出力ポート１７とから構成されている。
【００１１】
ＲＯＭ１４は、ラベル作成装置の制御を記憶している制御プログラム領域１４ａと、かな漢字変換のための辞書１４ｂとを備えている。
【００１２】
ＲＡＭ１６は、入力された文字列データを格納しておく文字列記憶領域１６ａと、登録した文字列を記憶しておく登録文字列記憶領域１６ｂと、選択された文字飾りとその選択が行われたか否かを判断する選択フラグを記憶しておく作業領域１６ｃとを備えている。
【００１３】
キーボード１８は、文字列の登録を指示する登録キー１８ａと、登録時に文字飾りの指定を行う文字飾りキー１８ｂと、各種動作の実行を指示する実行キー１８ｃの他に、印刷を指示する印刷キーや、文字や数字を入力するキーや、入力位置などを移動するカーソルキー等を備えている。
【００１４】
次に、上記のように構成された本実施の形態について図５のフローチャートに従って説明する。
【００１５】
この説明に際して、例として強調文字・アンダーライン・白抜き文字という３種類の文字飾りを別々に持つ「お使い下さい」という文字列を、それぞれ「んつかい」という同一の読み文字列の候補として３つ登録するという操作を行うこととする。
【００１６】
まず、使用者によって入力手段であるキーボード１８から登録したい文字列が入力される（ステップ１。以下Ｓ１と称す。他のステップも同様。）。ここでは「お使い下さい」という文字列が入力される。入力された文字列である「お使い下さい」は、ＲＡＭ１６の文字列記憶領域１６ａに記憶され（Ｓ３）、同時にディスプレイ２０にも表示される。尚、このＳ３が本発明の文字列記憶手段に相当する。
【００１７】
次に、入力文字列の「お使い下さい」が画面表示されている状態で登録指示手段である登録キー１８ａが押下されると（Ｓ５：Ｙ）、この登録する文字列「お使い下さい」に変換する際に入力される読み文字列「んつかい」を指定する画面が表示される（Ｓ７）。但し、本実施の形態では先に文字飾りを選択するため、ここではまだ「んつかい」を入力しない。
【００１８】
この読み文字列指定画面において、文字飾りキー１８ｂが押下された場合（Ｓ９：Ｙ）、図３に示すような文字飾り選択画面が表示される（Ｓ１０）。
【００１９】
この文字飾り選択画面では、図３に示すように文字飾りを示す記号が一覧表示されており、使用者が選択したい文字飾りの記号の上に左右キーなどでカーソルを合わせて上キーまたは下キーを押下すると、記号が反転表示される。このように反転表示された記号はその記号の示す文字飾りが選択されたことを示している。図３では、左端の強調文字の記号が選択されて反転表示された状態を表している。
【００２０】
文字飾りを持つ文字列を複数登録したい場合は、上述の要領で所望の文字飾りの記号（ここでは、強調文字、アンダーライン、白抜き文字の記号）をすべて選択する。選択がすべて終了したら、使用者は実行キー１８ｃを押下する（Ｓ１１：Ｙ）。実行キー１８ｃが押下されると、Ｒ０Ｍ１４に記憶されている文字飾りの中で、選択された強調文字、アンダーライン、白抜き文字の３種の情報を作業領域１６ｃに記憶する。ここでは、文字飾りを記憶すると同時に、その選択フラグもＯＮにした状態でそれぞれ記憶する（Ｓ１３）。このＳ９からＳ１３までの一連の動作は本発明の文字飾り指定手段に相当する。
【００２１】
実行キー１８ｃ押下後は、再び読み文字列入力画面に戻る。
【００２２】
ここで、読み文字列としてキーボード１８から「んつかい」を入力して実行キー１８ｃを押下すると（Ｓ１５）、登録処理に入る。
【００２３】
まず、ＲＡＭ１６の作業領域１６ｃが検索され、選択フラグがＯＮになっている文字飾りがあるかないかが判断される（Ｓ１７）。ここではまず、強調文字の選択フラグがＯＮであると判断され（Ｓ１７：Ｎ）、ＲＡＭ１６の文字列記憶領域１６ａに記憶されている入力文字列「お使い下さい」に、強調文字の情報を付加する（Ｓ１９）。文字飾り情報が付加された文字列は読みと一緒にＲＡＭ１６の登録文字列記憶領域１６ｂに記憶される（Ｓ２１）。そのあと、作業領域１６ｃにおいて、上記のように登録された文字列に使われた文字飾り（強調文字）の選択フラグをＯＦＦにして（Ｓ２３）、１つの文字列の登録を終了する。登録された文字列は図４のように、その文字列に変換する際の読みと対応した形で、付加された文字飾りの情報と共に記憶される。
【００２４】
そして更に文字飾り記憶領域が検索され、選択フラグがＯＮになっている文字飾りがある間は（Ｓ２５：Ｙ）、Ｓ１９からＳ２３の処理を繰り返して登録を行う。ここでは他に、アンダーラインと白抜き文字が選択されているため、それぞれについて前述の方法で登録を行う。
【００２５】
すべての選択フラグがＯＦＦになった時点で（Ｓ２５：Ｎ）、すべての登録処理を終了する。このＳ１７からＳ２５までの動作は本発明の一括登録手段に相当する。
【００２６】
Ｓ５において登録キー１８ａ以外のキーが選択された場合は（Ｓ５：Ｎ）、選択されたキーの指示に従って他の処理を行う（Ｓ２９）。他の処理の例としては、印刷キーが選択された場合のラベルの印刷等がある。
【００２７】
また、Ｓ９において文字飾りキー１８ｂが選択されなかった場合は（Ｓ９：Ｎ）、そのまま読み入力画面が表示されているので、ここで読み文字列が入力されて実行キー１８ｃが押下されると（Ｓ１５）、文字列記憶領域１６ａに記憶されている文字列を入力された読みで登録する（Ｓ２７）。
【００２８】
さらに、文字飾り選択画面において、実行キー１８ｃが押下されていても文字飾りが何も選択がなされない状態であったり（Ｓ１７：Ｎ）、取消キーが押下されて（Ｓ１１：Ｎ）選択された文字飾りがなかった場合（Ｓ１７：Ｎ）も、再び読み入力画面に戻るため、以下、文字飾りキー１８ｂが選択されなかった場合と同様の処理を行う。
【００２９】
本発明は、以上詳述した実施の形態に限定されるものではなく、その趣旨を逸脱しない範囲において種々の変更を加えることができる。
【００３０】
例えば、読み入力画面においては、すでに関連語変換として使用者が登録したものがある場合は、その既存の読み文字列を選択することも可能である。
【００３１】
また文字飾りについては、例えば、アンダーラインと強調文字を一つの文字列に付加したい場合は、二つの文字飾りを付加するような記号を用意しておけば、可能である。
【００３２】
また、文字飾りを付加しないという記号があってもよい。
【００３３】
【発明の効果】
以上説明したことから明かなように、本発明の文書作成装置は、１つの文字列を文字飾りの種類のみ変更して同一の読みで複数登録する場合に、一括して登録できるため、使用者は簡単な操作で複数の文字飾り付き文字列をスピーディに登録することが可能である。
【図面の簡単な説明】
【図１】本発明の実施の形態を示すブロック図である。
【図２】本発明で文字飾りを付加した文字列の例を示す図である。
【図３】本発明の文字飾りの選択画面を示す図である。
【図４】本発明の登録された関連語を格納しておくテーブルを示す図である。
【図５】本発明の実施の形態の説明のためのフローチャートである。
【符号の説明】
１０  電子制御装置
１２  中央処理装置（ＣＰＵ）
１４  ＲＯＭ
１７  入出力ポート
１６  ＲＡＭ
１８  キーボード
２０  ディスプレイ
２２  プリンタ
【図１】
0003646404.tif 000002
【図２】
0003646404.tif 000003
【図３】
0003646404.tif 000004
【図４】
0003646404.tif 000005
【図５】
0003646404.tif 000006